(57)【要約】【課題】ロータリースイツチに関するもので、特に、操作つまみの回転に伴う接点の切換操作時に、簡単な構成で、操作感、すなわち、クリック感が得られる具体的構成を提供する。【解決手段】固定部１１に回転可能に取り付けられた操作つまみ１０の軸１０ａに、突起部１５ａが一体的に形成された弾性変形可能な金属材よりなる摺動接点板１２を固定し、前記操作つまみ１０の回転に伴う前記突起部１５ａの回転軌跡と同一の円上に間欠的にスルーホール１８ａを有する複数個の第１の接点１８が形成されたプリント配線基板１６を、前記突起部１５ａが前記第１の接点１８に前記摺動接点板１２の弾性力により当接し、前記操作つまみ１０の回転に伴って前記突起部１５ａが前記第１の接点１８のスルーホール１８ａと順次係合しながら摺動移動するように前記固定部１１に固定した。【選択図】  図１
2004172042.tif 000002
【特許請求の範囲】
【請求項１】
操作つまみとともに回転する弾性変形可能な金属よりなる摺動接点板に、その回転に伴って夫々異なる回転軌跡を描くように複数の突起部を一体的に形成し、前記複数の回転軌跡の内の一つと同一径の円上に間欠的に位置する複数の係合凹部と前記回転軌跡の内の２つと同一径の円上の一方に間欠的に位置する第１の接点と他方の円上に位置する環状の第２の接点をそれぞれ形成したプリント配線板を、前記操作つまみの回転に伴い前記複数の突起部が前記係合凹部群、第１の接点および環状の第２の接点上を前記摺動接点板の弾性力により押圧されながら摺動移動するように固定部に固定し、前記操作つまみの回転に伴う前記突起部と前記係合凹部との係合離脱により前記操作つまみにクリック感を生じせしめたことを特徴とするロータリースイッチ。
【請求項２】
第１の接点はそれぞれスルーホールを有する接点であり、そのスルーホールが前記係合凹部を構成していることを特徴とする請求項１記載のロータリースイッチ。
【請求項３】
固定部に回転可能に取り付けられた操作つまみの軸に、突起部が一体的に形成された弾性変形可能な金属材よりなる摺動接点板を固定し、前記操作つまみの回転に伴う前記突起部の回転軌跡と同一の円上に間欠的にスルーホールを有する複数個の第１の接点が形成されたプリント配線基板を、前記突起部が前記第１の接点に前記摺動接点板の弾性力により当接し、前記操作つまみの回転に伴って前記突起部が前記第１の接点のスルーホールと順次係合しながら摺動移動するように前記固定部に固定したことを特徴とするロータリースイツチ。
【請求項４】
一体化された軸により固定部に回転可能に支持された操作つまみと、複数の環状部が同心円状に位置し、その隣接する環状部同士が部分的に連結されており、かつ、前記環状部にそれぞれ同一方向に突出するように屈曲された突起部が形成された金属材よりなる弾性変形可能な摺動接点板と、環状の第２の接点とその第２の接点と同心円上に間欠的に位置するよう配置されたスルーホールを有する複数の第１の接点とが形成されたプリント配線基板とを有し、前記プリント配線板は、前記環状の第２の接点の中心が前記操作つまみの軸の中心軸線状に位置するように固定部に固定されており、前記摺動接点板は、前記環状部の中心が前記操作つまみの軸の中心と一致するように、かつ、その環状部の弾性力により前記突起部がそれぞれ前記第１の接点と第２の接点に圧接するように前記操作つまみの軸に固定されており、前記操作つまみの回転に伴う前記摺動接点板の回転により前記突起部がそれぞれ前記第１と第２の接点上を摺動移動するように構成したことを特徴とするロータリースイッチ。
【発明の詳細な説明】
【０００１】
【発明の属する技術分野】
本発明は、ロータリースイツチに関するもので、特に、操作つまみの回転に伴う接点の切換操作時に、簡単な構成で、操作感、すなわち、クリック感が得られる具体的構成を提供するものである。
【０００２】
【従来の技術】
従来より、この種の操作感を持たせたロータリースイッチとしては図４および図５に示すものが考えられている。図４はその側断面図を、図５はその要部の一部切欠分解斜視図であり、これらの図において、１は上方が上面部１ａにより閉成され、底面が開口された円筒状の一体成形により作成された樹脂材からなるスイツチボックスである。２は中央に一体成形された軸２ａを有する操作つまみであり、その操作つまみ２は、前記スイツチボックス１の上面部１ａに形成された透孔１ｂに前記軸２ａを貫通せしめた状態で回転可能に支持されている。
【０００３】
３は円盤状の摺動接点板であり、その中央に形成された係合孔３ａに前記軸２ａの先端が係合され、前記軸２ａの軸方向には移動可能な状態で前記操作つまみ２と一体的に回転するように構成されている。その摺動接点板３の上面には、前記係合孔３ａの中心を中心とする円上に、係合穴４ａが複数個間欠的に形成された金属板４が貼着されている。また、その摺動接点板３の下面には所定の間隔Ｌを隔てて互いに電気的に接続された２つの摺動接点５ａ，５ｂが設けられている。
【０００４】
６は金属材よりなる固定板であり、７は前記固定板６上に貼付されたポリエステルフィルムである。そのポリエステルフィルム７上には環状の第２のカーボン被膜８ａとその第２のカーボン被膜８ａと前記所定の距離Ｌだけ離れた同心円上に間欠的に複数個配置された第１のカーボン被膜８ｂとが形成されている。
【０００５】
この固定板６は前記スイッチボックス１の下面に固定されている。この時、前記摺動接点板３の回転に伴って、その摺動接点板３に形成された前記摺動接点５ｂは前記複数の第１のカーボン被膜８ｂに順番に接するように、また、前記摺動接点５ａは環状の前記第２のカーボン被膜８ａ上を摺動するように構成されている。すなわち、操作つまみ２の回転に伴って、摺動接点５ａおよび５ｂを介して第２のカーボン被膜８ｂの一つが順次第１のカーボン被膜８ａと電気的に導通することにより、電気的スイツチを構成している。
９は弾性変形可能な金属材よりなる前記係合孔穴４ａの配列された円と略同径の環状のばね体であり、その直径方向に対向する２カ所には、円弧状に屈曲された係合突起部９ａおよび９ｂが形成されている。このばね体９は、図４で明瞭に示されるように前記係合突起部９ａ，９ｂの部分が若干下方に突出するように曲げられた状態で、前記係合突起部９ａ，９ｂから十分離れた位置において、前記スイッチボックス１の上面部１ａの下面に固定されている。この時、前記係合突起部９ａ，９ｂは、ばね体９の有する弾性変形力により前記摺動接点板３の上面に常時圧接されるよう構成され、この圧接力により前記摺動接点５ａ，５ｂと第１および第２のカーボン被膜８ａ、８ｂとの当接を良好にしている。そして、前記操作つまみ２の回転に伴って前記摺動接点板３が回転すると前記係合突起部９ａ，９ｂがそれぞれ前記係合穴４ａの一つに順次係合することにより、操作つまみ２の回転にクリック感を与えるように構成されている。
【０００６】
【特許文献１】
特開２００１−１８４９６７号公報
【０００７】
【発明が解決しようとする課題】
しかしながら、上述の構成においては、クリック感を発生させるために、ばね体９を必要とするとともに、摺動接点板３に係合穴４ａを形成した金属板４を設ける必要性があり、また、ばね体９の弾性力に十分打ち勝つ必要性から、ある程度以上の厚みを必要とするため、ロータリースイッチ全体の高さが高くなるとともに、コスト的にも問題があった。
【０００８】
本発明は、より簡単な構成で、ロータリースイッチの高さをより低くすることが可能で、また、より安価に製造できるロータリースイッチの具体的構成を提供する。
【０００９】
【課題を解決するための手段】
前記課題を解決するために本発明の請求項１に記載の発明は、操作つまみの軸に一体的に形成された突起部に弾性変形可能な金属材からなる摺動接点板を固定し、操作つまみの回転に伴う突起部の回転軌跡と同一の円上に、間欠的にスルーホールを有する複数個の接点をプリント基板上に設けて、摺動接点板が弾性力で基板上の接点に当接するようにしたものでロータリースイツチ自体の高さを低くできるものである。
【００１０】
【発明の実施の形態】
本発明の請求項１に記載の発明は、操作つまみとともに回転する弾性変形可能な金属よりなる摺動接点板に、その回転に伴って夫々異なる回転軌跡を描くように複数の突起部を一体的に形成し、前記複数の回転軌跡の内の一つと同一径の円上に間欠的に位置する複数の係合凹部と前記回転軌跡の内の２つと同一径の円上の一方に間欠的に位置する第１の接点と他方の円上に位置する環状の第２の接点をそれぞれ形成したプリント配線板を、前記操作つまみの回転に伴い前記複数の突起部が前記係合凹部群、第１の接点および環状の第２の接点上を前記摺動接点板の弾性力により押圧されながら摺動移動するように固定部に固定し、前記操作つまみの回転に伴う前記突起部と前記係合凹部との係合離脱により前記操作つまみにクリック感を生じせしめたことを特徴とするロータリースイッチであり、摺動接点となる突起部とクリック感を生じせしめる突起部とを一体的に形成した摺動接点板を操作つまみに固定し、その摺動接点板自身の弾性力により、前記両突起をプリン配線基板に形成された接点および係合凹部に圧接したものであるため、前述の従来構成のように、その機能上比較的厚くなる摺動接点板を必要としないものであり、ロータリースイツチ自体の高さも低くできるものである。
【００１１】
本発明の請求項２に記載の発明は、第１の接点はそれぞれスルーホールを有する接点であり、そのスルーホールが前記係合凹部を構成していることを特徴とする請求項１記載のロータリースイッチであり、摺動接点板に設けられた１つの突起部が摺動接点とクリック感を発生する突起と兼用しているため、その構成はより簡略化されるものであり、また、ロータリースイツチとして、その横方向の大きさも小さくできるものである。
【００１２】
本発明の請求項３に記載の発明は、固定部に回転可能に取り付けられた操作つまみの軸に、突起部が一体的に形成された弾性変形可能な金属材よりなる摺動接点板を固定し、前記操作つまみの回転に伴う前記突起部の回転軌跡と同一の円上に間欠的にスルーホールを有する複数個の第１の接点が形成されたプリント配線基板を、前記突起部が前記第１の接点に前記摺動接点板の弾性力により当接し、前記操作つまみの回転に伴って前記突起部が前記第１の接点のスルーホールと順次係合しながら摺動移動するように前記固定部に固定したことを特徴とするロータリースイツチであり、摺動接点板に設けられた１つの突起部が摺動接点とクリック感を発生する突起と兼用しているため、その構成はより簡略化されるものであり、また、ロータリースイツチとして、その横方向の大きさも小さくできるものである。
【００１３】
本発明の請求項４に記載の発明は、  一体化された軸により固定部に回転可能に支持された操作つまみと、複数の環状部が同心円状に位置し、その隣接する環状部同士が部分的に連結されており、かつ、前記環状部にそれぞれ同一方向に突出するように屈曲された突起部が形成された金属材よりなる弾性変形可能な摺動接点板と、環状の第２の接点とその第２の接点と同心円上に間欠的に位置するよう配置されたスルーホールを有する複数の第１の接点とが形成されたプリント配線基板とを有し、前記プリント配線板は、前記環状の第２の接点の中心が前記操作つまみの軸の中心軸線上に位置するように固定部に固定されており、前記摺動接点板は、前記環状部の中心が前記操作つまみの軸の中心と一致するように、かつ、その環状部の弾性力により前記突起部がそれぞれ前記第１の接点と第２の接点に圧接するように前記操作つまみの軸に固定されており、前記操作つまみの回転に伴う前記摺動接点板の回転により前記突起部がそれぞれ前記第１と第２の接点上を摺動移動するように構成したことを特徴とするロータリースイッチであり、摺動接点板を部分的に橋絡された同心円状の環状体で構成することにより、より安定した接点への当接が期待できるものである。
【００１４】
（実施の形態１）
以下に、本発明の実施形態１について、図１および図２を用いて説明する。図１は本発明の実施形態のロータリースイッチの側断面図、図２は同要部の一部切欠分解斜視図である。図１，２において、１０は中央に一体成形された軸１０ａを有する操作つまみであり、１１は固定部となるシャーシ基板である。
【００１５】
１２は３個の第１の環状部１３ａ，第２の環状部１３ｂ，第３の環状部１３ｃが同心円状に位置し、その隣接する環状部同士の第１の環状部１３ａと第２の環状部１３ｂ，第２の環状部１３ｂと第３の環状部１３ｃが橋絡部１４ａ，１４ｂによりそれぞれ部分的に連結されており、かつ、前記第１および第２の環状部１３ａ，１３ｂにそれぞれ同一方向に突出するように屈曲された２個づつの第１の接点摺動接点となる突起部１５ａと第２の摺動接点となる突起部１５ｂが形成された金属材よりなる弾性変形可能な摺動接点板であり、これらは一体的にプレス加工にて作られている。
１６は環状の第２の接点１７とその第２の接点と同心円上に間欠的に位置するよう配置されたそれぞれスルーホール１８ａを有する複数の第２の接点１８ｂとが形成されたプリント配線基板である。
【００１６】
前記操作つまみ１０は、前記シャーシ基板１１に形成された透孔１１ａに前記軸１０ａを貫通せしめた状態で回転可能に支持されている。そして、その軸１０ａの先端には、前記摺動接点板１２が、その最も中心に位置する前記第３の環状部１３ｃの透孔の中心が軸１０ａの中心と一致するように当接された状態で、その上にスペーサ１９を介してビス２０にて固定されている。この時、前記第１および第２の摺動接点となる突起部１５ａ，１５ｂの突出方向が下方に向くように配置されている。
【００１７】
前記プリント配線板１６は、前記環状の第２の接点１７の中心が前記操作つまみ１０の軸１０ａの中心軸線上に位置するように前記シャーシ基板１１の裏面にボス２１を介して固定され、操作つまみ１０の回転に伴う前記摺動接点板１２の回転に伴って、前記第１の摺動接点となる突起部１５ａは、その摺動接点板１２の弾性力により環状に配置された前記第１の接点１８上を順次圧接されながら摺動移動し、前記第２の摺動接点となる突起部１５ｂも前記第２の接点１７上を圧接されながら摺動移動するように構成されている。
なお、前記ビス２０は、プリント配線基板１６に形成された透孔１６ａを貫通し、そのビス頭２０ａは、その透孔１６ａより径大に構成されており、この構成により操作つまみ１０がシャーシ基板１１より抜け落ちることの無いように構成されている。また、前記第２の接点１７はスルーホールを介してプリント配線２２により所定の電気回路に、前記第１の接点１８もそれぞれプリント配線２３により所定の電気回路に接続されている。
以上の構成において、前記操作つまみ１０の回転に伴って前記摺動接点板１２が回転すると前記第１の摺動接点となる突起部１５ａが前記第１の接点１８のスルーホール１８ａの一つに順次係合することにより、操作つまみ１０の回転にクリック感を与えるものであり、この第１の摺動接点となる突起部１５ａといずれか一つの第１の接点１８との接触時に、その第１の接点１８と第２の接点１７とが、第１の摺動接点となる突起部１５ａ、第１の環状部１３ａ、橋絡部１４ａ、第２の環状部１３ｂおよび第２の摺動接点となる突起部１５ｂを介して電気的に導通して電気スイツチを形成する。
【００１８】
以上の構成によれば、摺動接点となる突起部とクリック感を生じせしめる突起部とを一体的に形成した摺動接点板を操作つまみに固定し、その摺動接点板自身の弾性力により、前記両突起をプリン配線基板に形成された接点および係合凹部に圧接したものであるため、前述の従来構成のように、その機能上比較的厚くなる摺動接点板を必要としないものであり、ロータリースイツチ自体の高さも低くできるものである。
また、摺動接点板に設けられた１つの突起部が摺動接点とクリック感を発生する突起と兼用しているため、その構成はより簡略化されるものであり、さらに、ロータリースイツチとして、その横方向の大きさも小さくできるものである。
さらに、プリント配線基板に形成された係合凹部（スルーホール）と突起部１５ａとの係合によりクリック感を得ているため、ロータリースイッチを組み込む装置によりクリツク感を変化させたい場合には、プリント配線基板に形成された前記係合凹部の大きさを変化させれば良いので、簡単に変化させることができるものである。
【００１９】
（実施の形態２）
図３は本発明の他の実施の形態の要部を示す分解斜視図であり、前述の実施の形態と類似する機能部位には同一の符号を付している。前述の実施の形態と異なる点は、摺動接点板１２が、同心円状の第１の環状部１３ａ、第２の環状部１３ｂ、第３の環状部１３ｃに加えて、さらに、外側に第４の環状部１３ｄを有しており、この第４の環状部１３ｄにも２個の突起部１５ｃが形成されている。そして、前記第４の環状部１３ｄと第１の環状部１３ａとは橋絡部１４ｄにより連結されている点である。
【００２０】
また、プリント配線基板１６には、前記スルーホール１８ａを有する環状に配置された第１の接点１８の外側に、前記環状と同心円上で、かつ、前記環状の中心と第１の接点１８とを結ぶ線上に位置するように、それぞれ係合凹部２２が形成されている点である。すなわち、本実施の形態によれば、操作つまみ１０の回転に伴う、前記摺動接点板１２の回転により、第１の突起部１５ａと第１の接点１８とが接し、第２の突起部１５ｂと第２の接点１７とが接した際に、実施の形態１と同様に、その第１の接点１８と第２の接点１７とが電気的に導通して電気スイツチを形成する。この時、前記突起部１５ｃと係合凹部２２とが係合することによりクリック感が生じるものである。なお、前記前記突起部１５ｄと係合凹部２２との係合により十分なクリック感が得られる場合には、前記第１の接点１８のスルーホール１８ａは不要なものである。
【００２１】
【発明の効果】
以上のように本発明によれば、クリック感のあるロータリースイッチを、簡単な構成により実現できるものであり、また、小型化できるものである。
【図面の簡単な説明】
【図１】本発明の実施の形態１におけるロータリースイッチの側断面図
【図２】同ロータリースイッチの要部の一部切欠分解斜視図
【図３】本発明の実施の形態２におけるロータリースイッチの要部の分解斜視図
【図４】従来のロータリースイッチの側断面図
【図５】同ロータリースイッチの要部の一部切欠分解斜視図
【符号の説明】
１０  操作つまみ
１０ａ  軸
１１  シャーシ
１２  摺動接点板
１３ａ，１３ｂ，１３ｃ，１３ｄ  環状部
１４ａ，１４ｂ，１４ｃ  橋絡部
１５ａ，１５ｂ，１５ｃ  突起部
１６  プリント配線基板
１７  第２の接点
１８  第１の接点
１８ａ  スルーホール
１９  スペーサ
２０  ビス
２２  係合凹部
【図１】
2004172042.tif 000003
【図２】
2004172042.tif 000004
【図３】
2004172042.tif 000005
【図４】
2004172042.tif 000006
【図５】
2004172042.tif 000007